(57)【要約】ネットワークノード（１００又は２００）は、無線アクセスネットワーク（１０）を介してモバイルコアネットワーク（２０）に接続する移動端末（３００）のＣＯＮＮＥＣＴＥＤ状態からＩＤＬＥ状態への遷移を決定するために用いられるタイマ（１０１）の満了期間を無線アクセスネットワーク（１０）の混雑度に基づいて決定するよう構成されている。これにより、例えば、UE inactivity timerの満了期間の調整に伴う移動端末のネットワークへの接続成功率の低下を抑制することができる。
2014167759.tif 000002
【特許請求の範囲】
【請求項１】
無線アクセスネットワークを介してモバイルコアネットワークに接続する移動端末のＣＯＮＮＥＣＴＥＤ状態からＩＤＬＥ状態への遷移を決定するために用いられるタイマの満了期間を前記無線アクセスネットワークの混雑度に基づいて決定することを備える、
方法。
【請求項２】
前記決定することは、前記混雑度が大きくなるに従って前記満了期間を短くすることを含む、請求項１に記載の方法。
【請求項３】
前記混雑度は、前記無線アクセスネットワークに含まれる基地局又は前記基地局が管理するセルにおいてＣＯＮＮＥＣＴＥＤ状態である移動端末の総数に関する、請求項１又は２に記載の方法。
【請求項４】
前記混雑度は、
・前記無線アクセスネットワークに含まれる基地局又は前記基地局が管理するセルにおいてＣＯＮＮＥＣＴＥＤ状態である移動端末の総数、
・前記基地局又は前記セルにおいてＩＤＬＥ状態である移動端末の総数、
・前記基地局又は前記セルへの内向きハンドオーバを行った移動端末の総数、
・前記基地局又は前記セルから外向きハンドオーバを行った移動端末の総数、
・前記セル内に位置する移動端末の総数、
・前記基地局又は前記セルへの接続に失敗した移動端末の総数、
・前記基地局又は前記セルにおいて受信された複数の移動端末からの接続要求の総数、及び
・前記基地局又は前記セルにおける複数の移動端末の総通信量、
のうち少なくとも１つのパラメタを用いて表される、
請求項１〜３のいずれか１項に記載の方法。
【請求項５】
前記決定することは、前記モバイルコアネットワークに配置された制御ノードにおいて前記満了期間を決定することを含む、請求項１〜４のいずれか１項に記載の方法。
【請求項６】
前記無線アクセスネットワークに配置された前記タイマを実行するノードに対して前記満了期間を通知することをさらに備える、請求項１〜５のいずれか１項に記載の方法。
【請求項７】
前記決定することは、前記無線アクセスネットワークに含まれる基地局において前記満了期間を決定することを含む、請求項１〜４のいずれか１項に記載の方法。
【請求項８】
前記タイマは、前記移動端末に関するユーザデータの送受信が行われない不活性状態の継続時間を計測する、請求項１〜７のいずれか１項に記載の方法。
【請求項９】
前記タイマは、前記無線アクセスネットワークに配置されたノードによって開始される、請求項１〜８のいずれか１項に記載の方法。
【請求項１０】
無線アクセスネットワークを介してモバイルコアネットワークに接続する移動端末のＣＯＮＮＥＣＴＥＤ状態からＩＤＬＥ状態への遷移を決定するために用いられるタイマの満了期間を前記無線アクセスネットワークの混雑度に基づいて決定する決定手段を備える、ネットワークノード。
【請求項１１】
前記決定手段は、前記混雑度が大きくなるに従って前記満了期間を短くするように決定する、請求項１０に記載のネットワークノード。
【請求項１２】
前記混雑度は、前記無線アクセスネットワークに含まれる基地局又は前記基地局が管理するセルにおいてＣＯＮＮＥＣＴＥＤ状態である移動端末の総数に関する、請求項１０又は１１に記載のネットワークノード。
【請求項１３】
前記混雑度は、
・前記無線アクセスネットワークに含まれる基地局又は前記基地局が管理するセルにおいてＣＯＮＮＥＣＴＥＤ状態である移動端末の総数、
・前記基地局又は前記セルにおいてＩＤＬＥ状態である移動端末の総数、
・前記基地局又は前記セルへの内向きハンドオーバを行った移動端末の総数、
・前記基地局又は前記セルから外向きハンドオーバを行った移動端末の総数、
・前記セル内に位置する移動端末の総数、
・前記基地局又は前記セルへの接続に失敗した移動端末の総数、
・前記基地局又は前記セルにおいて受信された複数の移動端末からの接続要求の総数、及び
・前記基地局又は前記セルにおける複数の移動端末の総通信量、
のうち少なくとも１つのパラメタを用いて表される、
請求項１０〜１２のいずれか１項に記載のネットワークノード。
【請求項１４】
前記ネットワークノードは、前記モバイルコアネットワークに配置された制御ノードである、請求項１０〜１３のいずれか１項に記載のネットワークノード。
【請求項１５】
前記無線アクセスネットワークに配置された前記タイマを実行するノードに対して前記満了期間を通知する通知手段をさらに備える、請求項１０〜１４のいずれか１項に記載のネットワークノード。
【請求項１６】
前記ネットワークノードは、前記無線アクセスネットワークに配置された基地局である、請求項１０〜１４のいずれか１項に記載のネットワークノード。
【請求項１７】
前記タイマは、前記移動端末に関するユーザデータの送受信が行われない不活性状態の継続時間を計測する、請求項１０〜１６のいずれか１項に記載のネットワークノード。
【請求項１８】
前記タイマは、前記無線アクセスネットワークに配置されたノードによって開始される、請求項１０〜１７のいずれか１項に記載のネットワークノード。
【請求項１９】
無線アクセスネットワークを介してモバイルコアネットワークに接続する移動端末のＣＯＮＮＥＣＴＥＤ状態からＩＤＬＥ状態への遷移を決定するために用いられるタイマと、
前記無線アクセスネットワークの混雑度に基づいて決定された前記タイマの満了期間を示すメッセージを前記モバイルコアネットワークから受信し、前記タイマに前記満了期間を設定する設定手段と、
を備える基地局。
【請求項２０】
前記満了期間は、前記混雑度が大きくなるに従って短くなるように決定される、請求項１９に記載の基地局。
【請求項２１】
前記混雑度は、前記基地局又は前記基地局が管理するセルにおいてＣＯＮＮＥＣＴＥＤ状態である移動端末の総数に関する、請求項１９又は２０に記載の基地局。
【請求項２２】
前記混雑度は、
・前記無線アクセスネットワークに含まれる基地局又は前記基地局が管理するセルにおいてＣＯＮＮＥＣＴＥＤ状態である移動端末の総数、
・前記基地局又は前記セルにおいてＩＤＬＥ状態である移動端末の総数、
・前記基地局又は前記セルへの内向きハンドオーバを行った移動端末の総数、
・前記基地局又は前記セルから外向きハンドオーバを行った移動端末の総数、
・前記セル内に位置する移動端末の総数、
・前記基地局又は前記セルへの接続に失敗した移動端末の総数、
・前記基地局又は前記セルにおいて受信された複数の移動端末からの接続要求の総数、及び
・前記基地局又は前記セルにおける複数の移動端末の総通信量、
のうち少なくとも１つのパラメタを用いて表される、
請求項１９〜２１のいずれか１項に記載の基地局。
【請求項２３】
前記タイマは、前記移動端末に関するユーザデータの送受信が行われない不活性状態の継続時間を計測する、請求項１９〜２２のいずれか１項に記載の基地局。
【請求項２４】
制御方法をコンピュータに行わせるためのプログラムを格納した非一時的なコンピュータ可読媒体であって、
前記制御方法は、無線アクセスネットワークを介してモバイルコアネットワークに接続する移動端末のＣＯＮＮＥＣＴＥＤ状態からＩＤＬＥ状態への遷移を決定するために用いられるタイマの満了期間を前記無線アクセスネットワークの混雑度に基づいて決定することを含む、
非一時的なコンピュータ可読媒体。
【発明の詳細な説明】
【技術分野】
【０００１】
本出願は、移動通信システムに関し、特に、移動端末のデータ通信が行われていない不活性状態の継続を計測するタイマの調整に関する。
【背景技術】
【０００２】
多元接続方式の移動通信システムは、時間、周波数、及び送信電力のうち少なくとも１つを含む無線リソースを複数の移動端末の間で共有することで、複数の移動端末が実質的に同時に無線通信を行うことを可能としている。代表的な多元接続方式は、ＴＤＭＡ（Time Division Multiple Access）、ＦＤＭＡ（Frequency Division Multiple Access）、ＣＤＭＡ（Code Division Multiple Access）、若しくはＯＦＤＭＡ（Orthogonal Frequency Division Multiple Access）又はこれらの組み合わせである。本明細書で用いる移動通信システムの用語は、特に断らない限り多元接続方式の移動通信システムを意味する。【０００３】
移動通信システムは、移動端末及びネットワークを含む。ネットワークは、無線アクセスネットワーク（Radio Access Network（ＲＡＮ））及びモバイルコアネットワーク（Mobile Core Network（ＭＣＮ））を含む。移動端末は、ＲＡＮ及びＭＣＮを介して外部ネットワーク（例えば、 インターネット、パケットデータネットワーク、又はプライベート企業網）と通信する。移動通信システムは、例えば、3rd Generation Partnership Project（３ＧＰＰ）のUniversal Mobile Telecommunications System（ＵＭＴＳ）又はEvolved Packet System（ＥＰＳ）である。ＲＡＮは、例えばUniversal Terrestrial Radio Access Network（ＵＴＲＡＮ）、又はEvolved UTRAN（Ｅ−ＵＴＲＡＮ）である。ＭＣＮは、例えば、General Packet Radio Service（ＧＰＲＳ）パケットコア、又はEvolved Packet Core（ＥＰＣ）である。【０００４】
特許文献１は、移動端末の通信が行われていない不活性状態の継続時間を移動端末又はネットワーク（i.e. 基地局又はゲートウェイ）において計測し、これが所定の満了期間を超えると移動端末をスリープモードに遷移させることを開示している。また、特許文献１は、移動端末の通信頻度を移動端末又はネットワーク（i.e. 基地局又はゲートウェイ）において計測するとともに、スリープモード遷移に関するタイマのタイマ値（満了期間）を移動端末の通信頻度に基づいて変更することを開示している。さらに、特許文献１は、スリープモード遷移に関するタイマの満了期間を移動端末のバッテリー残量に基づいて変更することを開示している。【０００５】
特許文献２及び３は、移動端末のＣＯＮＮＥＣＴＥＤ状態とＩＤＬＥ状態の間での状態遷移（以下、“ＣＯＮＮＥＣＴＥＤ−ＩＤＬＥ遷移”と呼ぶ）の制御に使用される制御ポリシをＭＣＮからＲＡＮ内の制御装置（e.g. 基地局）に供給することを開示している。制御ポリシは、例えば、移動端末がＣＯＮＮＥＣＴＥＤ状態からＩＤＬＥ状態に遷移するまでの時間間隔（ＩＤＬＥ遷移間隔）の指定を含む。制御ポリシは、例えば、移動管理ノード（e.g. Mobility Management Entity（ＭＭＥ）、Serving GPRS Support Node（ＳＧＳＮ））、又は加入者サーバ（e.g. Home Subscriber Server（ＨＳＳ））によって管理される。さらに、特許文献３は、移動端末のＣＯＮＮＥＣＴＥＤ−ＩＤＬＥ遷移の制御に使用される制御ポリシを移動端末の状況に応じて決定することを開示している。移動端末の状況は、例えば、移動端末の移動頻度、移動端末の通信頻度、移動端末が属する時間帯、移動端末が位置する場所、移動端末が起動しているアプリケーションプログラム、移動端末のバッテリー残量、または移動端末が接続している無線アクセスネットワークの種別、である。【０００６】
ここで、本明細書及び特許請求の範囲で使用する「ＣＯＮＮＥＣＴＥＤ状態」及び「ＩＤＬＥ状態」の用語の定義を述べる。「ＩＤＬＥ状態」とは、移動端末がＭＣＮとの間でセッション管理及びモビリティ管理のための制御信号の継続的な交換を行っておらず、ＲＡＮでの無線接続が解放（release）された状態を意味する。ＩＤＬＥ状態の一例は、３ＧＰＰのEPS Connection Management IDLE（ＥＣＭ−ＩＤＬＥ）状態且つRadio Resource Control IDLE（ＲＲＣ＿ＩＤＬＥ）状態である。ＲＲＣ＿ＩＤＬＥであるとき、Ｅ−ＵＴＲＡＮにおける無線接続であるＲＲＣ＿Ｃｏｎｎｅｃｔｉｏｎが解放される。【０００７】
これに対して「ＣＯＮＮＥＣＴＥＤ状態」とは、３ＧＰＰのＥＣＭ−ＣＯＮＮＥＣＴＥＤ状態且つＲＲＣ＿ＣＯＮＮＥＣＴＥＤ状態のように、少なくとも移動端末とＭＣＮとの間でセッション管理及びモビリティ管理のための制御信号（制御メッセージ）を送受信するための無線接続がＲＡＮにおいて確立され、移動端末とＭＣＮとの間で制御信号（制御メッセージ）を送受信可能なコネクションが確立された状態を意味する。つまり、「ＣＯＮＮＥＣＴＥＤ状態」は、少なくともセッション管理及びモビリティ管理のための制御信号（制御メッセージ）を送受信できるように移動端末がＭＣＮに接続された状態であればよい。「ＣＯＮＮＥＣＴＥＤ状態」は、移動端末と外部のパケットデータネットワーク（Packet Data Network：ＰＤＮ）の間でユーザデータを送受信するためのデータベアラが設定された状態でもよいし、「ＣＯＮＮＥＣＴＥＤ状態」は、移動端末がＭＣＮとの制御コネクションを有するがデータベアラを有していない状態であってもよい。「ＣＯＮＮＥＣＴＥＤ状態」は、「ＡＣＴＩＶＥ状態」と呼ぶこともできる。【０００８】
また、典型的には、ＭＣＮは、ＣＯＮＮＥＣＴＥＤ状態の移動端末の位置をセル単位で管理し、ＩＤＬＥ状態の移動端末の位置を複数のセルを含む位置登録エリア（e.g. トラッキングエリア、ルーティングエリア）単位で管理する。ＩＤＬＥ状態の移動端末は、ある位置登録エリアから別の位置登録エリアに移動した場合に、位置登録エリアの更新を示すメッセージをＭＣＮに送信する。ＭＣＮは、ＩＤＬＥ状態の移動端末に対するダウンリンクトラフィック（ダウンリンクデータ又は音声着信）が到着した場合に、位置登録エリアに基づいて定まるページングエリアに対してページング信号を送信する。【０００９】
また、本明細書では、移動端末のＣＯＮＮＥＣＴＥＤ状態からＩＤＬＥ状態への遷移を決定するために、移動端末のデータ通信が行われていない不活性状態の継続を計測するタイマを、３ＧＰＰでの呼称に従って「UE inactivity timer」と呼ぶ。
【先行技術文献】
【特許文献】
【００１０】
【特許文献１】特開平１１−３１３３７０号公報
【特許文献２】国際公開第２０１２／０９３４３３号
【特許文献３】国際公開第２０１２／０９３４３４号
【発明の概要】
【発明が解決しようとする課題】
【００１１】
上述したように、特許文献１〜３は、移動端末の移動頻度又は通信頻度などの移動端末の状況に基づいてUE inactivity timerの満了期間（タイマ値）を調整することを記載している。移動端末の状況に基づくUE inactivity timerのタイマ値の調整は、主に、ＭＣＮが処理すべき制御信号を減らし、モバイルコアネットワーク（ＭＣＮ）の負荷を軽減することを目的としている。したがって、例えば、UE inactivity timerのタイマ値は、移動端末の通信頻度が高くなるにつれて長くなるように決定される。【００１２】
しかし、移動端末の状況に基づいてUE inactivity timerのタイマ値を調整するだけでは、ＣＯＮＮＥＣＴＥＤ状態に留まる移動端末が増加するおそれがある。例えば、ＣＯＮＮＥＣＴＥＤ状態の移動端末の総数がセル又は基地局の上限数に達すると、新たな移動端末はＣＯＮＮＥＣＴＥＤ状態になることができない。つまり、移動端末のネットワークへの接続成功率が低下するおそれがある。【００１３】
したがって、本発明の目的の１つは、UE inactivity timerの満了期間の調整に伴う移動端末のネットワークへの接続成功率の低下を抑制することに寄与する方法、ネットワークノード、基地局、及びプログラムを提供することである。
【課題を解決するための手段】
【００１４】
第１の態様では、方法は、無線アクセスネットワークを介してモバイルコアネットワークに接続する移動端末のＣＯＮＮＥＣＴＥＤ状態からＩＤＬＥ状態への遷移を決定するために用いられるタイマの満了期間を前記無線アクセスネットワークの混雑度に基づいて決定することを含む。【００１５】
第２の態様では、ネットワークノードは決定部を含む。前記決定部は、無線アクセスネットワークを介してモバイルコアネットワークに接続する移動端末のＣＯＮＮＥＣＴＥＤ状態からＩＤＬＥ状態への遷移を決定するために用いられるタイマの満了期間を前記無線アクセスネットワークの混雑度に基づいて決定するよう構成されている。【００１６】
第３の態様では、基地局は、タイマ及び設定部を含む。前記タイマは、無線アクセスネットワークを介してモバイルコアネットワークに接続する移動端末のＣＯＮＮＥＣＴＥＤ状態からＩＤＬＥ状態への遷移を決定するために用いられる。前記設定部は、前記無線アクセスネットワークの混雑度に基づいて決定された前記タイマの満了期間を示すメッセージを前記モバイルコアネットワークから受信し、前記タイマに前記満了期間を設定する。【００１７】
第４の態様では、プログラムは、制御方法をコンピュータに行わせるための命令群を含む。前記制御方法は、無線アクセスネットワークを介してモバイルコアネットワークに接続する移動端末のＣＯＮＮＥＣＴＥＤ状態からＩＤＬＥ状態への遷移を決定するために用いられるタイマの満了期間を前記無線アクセスネットワークの混雑度に基づいて決定することを含む。
【発明の効果】
【００１８】
上述の態様によれば、UE inactivity timerの満了期間の調整に伴う移動端末のネットワークへの接続成功率の低下を抑制することに寄与する方法、ネットワークノード、基地局、及びプログラムの提供を提供できる。
【図面の簡単な説明】
【００１９】
【図１】第１の実施形態に係る移動通信システムの構成例を示すブロック図である。
【図２】第１の実施形態に係る移動通信システムの動作を示すシーケンス図である。
【図３】第１の実施形態に係る移動管理ノードの構成例を示すブロック図である。
【図４】第１の実施形態に係る移動通信システムの構成例を示すブロック図である。
【図５】第２の実施形態に係る基地局の構成例を示すブロック図である。
【発明を実施するための形態】
【００２０】
以下では、具体的な実施形態について、図面を参照しながら詳細に説明する。各図面において、同一又は対応する要素には同一の符号が付されており、説明の明確化のため、必要に応じて重複説明は省略される。
【００２１】
＜第１の実施形態＞
図１は、本実施形態に係るセルラ通信システムの構成例を示すブロック図である。図１の構成例は、無線アクセスネットワーク（Radio Access Network（ＲＡＮ））１０及びモバイルコアネットワーク（Mobile Core Network（ＭＣＮ））２０を含む。始めに、ＲＡＮ１０及びＭＣＮ２０の基本的な構成及び機能について説明する。
【００２２】
ＲＡＮ１０は、基地局１００を含む。基地局１００は、セルを管理し、無線アクセス技術により複数の移動端末３００との間で無線コネクション（Radio Resource Control（RRC）コネクション）を接続する。移動端末３００は、無線インタフェースを有し、無線アクセス技術によりＲＡＮ１０に接続し、ＲＡＮ１０を介してＭＣＮ２０へ接続する。ＲＡＮ１０は、例えば、Ｅ−ＵＴＲＡＮ若しくはＵＴＲＡＮ、又はこれらの組み合わせである。Ｅ−ＵＴＲＡＮにおいては、基地局１００はE-UTRAN NodeB NodeB（ｅＮＢ）に対応する。ＵＴＲＡＮにおいては、基地局１００はRadio Network Controller（ＲＮＣ）及びＮｏｄｅＢが持つ機能に対応する。
【００２３】
図１の例では、基地局１００は、UE inactivity timer １０１を有する。UE inactivity timer １０１は、移動端末３００に関するユーザデータの送受信が行われない不活性状態の継続時間を計測するタイマである。UE inactivity timer １０１は、基地局１００によって開始（再開）され、移動端末３００のＣＯＮＮＥＣＴＥＤ状態からＩＤＬＥ状態への変更を決定するために用いられる。なお、UE inactivity timer １０１は、ＲＡＮ１０に配置された他のノードに配置されてもよい。
【００２４】
基地局１００は、例えば、移動端末３００にダウンリンク又はアップリンクの無線リソースをスケジューリングしたことに応じて移動端末３００のUE inactivity timerを開始（再開）する。これに代えて又はこれと組み合わせて、基地局１００は、例えば、移動端末３００宛てのダウンリンクデータの受信、移動端末３００へのアップリンク送信許可（Uplink Grant）の送信、移動端末３００へのページングメッセージの送信、及び移動端末３００からの無線リソース割り当て要求の受信、のうち少なくとも１つに応じて移動端末３００のUE inactivity timerを開始（再開）してもよい。
【００２５】
UE inactivity timer１０１が満了（expire）すると、移動端末３００は、ＣＯＮＮＥＣＴＥＤ状態からＩＤＬＥ状態に遷移する。例えば、基地局１００は、UE inactivity timer１０１の満了（expire）に応じて、ＭＣＮ２０（具体的には移動管理ノード２００）に対して移動端末３００に関するＭＣＮ２０とのベアラの解放（release）を要求するとともに、移動端末３００のために設定された無線ベアラを解放すればよい。移動端末３００は、無線ベアラを解放に応じて、ＩＤＬＥ状態に遷移すればよい。
【００２６】
ＭＣＮ２０は、主に移動通信サービスを提供するオペレータによって管理されるネットワークである。ＭＣＮ２０は、例えば、Evolved Packet System（ＥＰＳ）におけるＥＰＣ、若しくはUniversal Mobile Telecommunications System（ＵＭＴＳ）におけるＧＰＲＳパケットコア、又はこれらの組み合わせである。ＭＣＮ２０は、移動端末３００の移動管理及びベアラ管理等を含むコントロールプレーン機能と、移動端末３００と外部のＰＤＮの間で送受信されるユーザデータの転送を含むユーザプレーン機能を有する。図１の例では、ＭＣＮ２０は、コントロールプレーンのエンティティとして移動管理ノード２００を含む。また、図示は省略されているが、ＭＣＮ２０は、ユーザプレーンのエンティティとして少なくとも１つの転送ノードを含む。例えば、ＵＭＴＳの場合、図示されない転送ノードは、Serving GPRS Support Node（ＳＧＳＮ）のユーザプレーン機能、及びGateway GPRS Support Node（ＧＧＳＮ）を含む。また、ＥＰＳの場合、転送ノードは、Serving Gateway（Ｓ−ＧＷ）及びPDN Gateway（Ｐ−ＧＷ）を含む。
【００２７】
移動管理ノード２００は、移動端末３００の移動管理及びベアラ管理（e.g. ベアラ確立、ベアラ構成変更、ベアラ解放）を行う。例えば、ＵＭＴＳの場合、移動管理ノード２００は、ＳＧＳＮのコントロールプレーン機能を有する。また、ＥＰＳの場合、移動管理ノード２００は、ＭＭＥ（Mobility Management Entity）の機能を有する。移動管理ノード（e.g. ＭＭＥ）２００は、複数の基地局（e.g. ｅＮＢ）１００と制御インタフェース（e.g. Ｓ１−ＭＭＥインタフェース）によって接続され、転送ノード（e.g. Ｓ−ＧＷ）と制御インタフェース（e.g. Ｓ１１インタフェース）によって接続される。移動管理ノード２００は、移動端末３００とＭＣＮ２０の間のNon-Access Stratum（ＮＡＳ）メッセージの交換を担う。ＮＡＳメッセージは、ＲＡＮ１０で終端されず、ＲＡＮ１０の無線アクセス方式に依存することなく、移動端末３００とＭＣＮ２０の間で透過的に送受信される制御メッセージである。例えば、移動管理ノード２００は、リソース割り当てを求めるサービス要求メッセージを移動端末３００から受信したことに応じて、ＭＣＮ２０とのベアラ設定および移動端末３００との無線ベアラの設定を基地局１００に要求する。
【００２８】
続いて以下では、本実施形態に係るUE inactivity timer １０１の満了期間（タイマ値）の決定について説明する。本実施形態では、UE inactivity timer １０１の満了期間（タイマ値）は、ＲＡＮ１０の混雑度に基づいて決定される。ＲＡＮ１０の混雑度は、１つの基地局１００の混雑度、１つの基地局１００が管理する１つのセルの混雑度、１つの基地局１００が管理する複数のセルの混雑度、又は１つの基地局管理装置（例えば、ＵＴＲＡＮのＲＮＣ）によって管理される複数の基地局１００の混雑度であってもよい。
【００２９】
ＲＡＮ１０の混雑度は、基地局１００又は基地局１００が管理するセルにおいてＣＯＮＮＥＣＴＥＤ状態である移動端末３００の総数に直接的に又は間接的に関係している。つまり、基地局１００又は基地局１００が管理するセルにおいてＣＯＮＮＥＣＴＥＤ状態である移動端末３００の総数が大きいほど、ＲＡＮ１０の混雑度が大きいということができる。
【００３０】
ＲＡＮ１０の混雑度は、以下の（１）〜（８）に示されるパラメタうち少なくとも１つを用いて表されてもよい。例えば、ＲＡＮ１０の混雑度は、（１）〜（８）のいずれかに示されるパラメタそれ自体であってもよいし、（１）〜（８）のいずれかに示されるパラメタを用いて計算された値（例えば比率）であってもよい。また、ＲＡＮ１０の混雑度は、（１）〜（８）のいずれかに示されるパラメタに関する統計値（例えば、最大値、最小値、平均値、又は中央値）であってもよい。
（１）基地局１００又は基地局１００が管理するセルにおいてＣＯＮＮＥＣＴＥＤ状態である移動端末３００の総数、
（２）基地局１００又は基地局１００が管理するセルにおいてＩＤＬＥ状態である移動端末３００の総数、
（３）基地局１００又は基地局１００が管理するセルへの内向き（inbound）ハンドオーバを行った移動端末３００の総数、
（４）基地局１００又は基地局１００が管理するセルから外向き（outbound）ハンドオーバを行った移動端末３００の総数、
（５）基地局１００が管理するセル内に位置する移動端末３００の総数、
（６）基地局１００又は基地局１００が管理するセルへの接続に失敗した移動端末３００の総数、
（７）基地局１００又は基地局１００が管理するセルにおいて受信された複数の移動端末３００からの接続要求の総数、及び
（８）基地局１００又は基地局１００が管理するセルにおける複数の移動端末３００の総通信量。
【００３１】
一例において、基地局１００は、ＲＡＮ１０の混雑度を計測（計算）する。他の例において、移動管理ノード２００、ＲＡＮ１０内の他のネットワークノード、又はＭＣＮ２０の他のネットワークノードがＲＡＮ１０の混雑度を計測（計算）してもよい。
【００３２】
一例において、移動管理ノード２００は、UE inactivity timer １０１の満了期間を決定する。他の例において、基地局１００、ＲＡＮ１０内の他のネットワークノード、又はＭＣＮ２０の他のネットワークノードがUE inactivity timer １０１の満了期間を決定してもよい。
【００３３】
UE inactivity timer １０１の満了期間は、基地局１００（又は基地局１００が管理するセル）の混雑度が大きくなるに従って短くなるように決定されるとよい。例えば、UE inactivity timer １０１の満了期間は、基地局１００の混雑度が相対的に大きい第１の値であるときに、ＲＡＮ１０の混雑度が相対的に小さい第２の値であるときに比べて満了期間が短くなるように決定される。つまり、多くの移動端末３００が通信を行なっているために混雑している基地局１００では、UE inactivity timer １０１の満了期間は短くなる。これとは反対に、通信中の移動端末３００が少ない基地局１００では、UE inactivity timer １０１の満了期間は長くなる。したがって、本実施形態は、基地局１００（又は基地局１００が管理するセル）においてＣＯＮＮＥＣＴＥＤ状態の移動端末３００の総数が増大することを抑制でき、移動端末３００のネットワークへの接続成功率の低下を抑制することができる。
【００３４】
なお、UE inactivity timer １０１の満了期間の決定において、ＲＡＮ１０の混雑度以外の他のパラメタが併せて考慮されてもよいことは勿論である。例えば、特許文献３に記載されているように、移動端末３００の状況（例えば、移動端末３００の移動頻度、移動端末３００の通信頻度、移動端末３００が属する時間帯、移動端末３００が位置する場所、移動端末３００が起動しているアプリケーションプログラム、移動端末３００のバッテリー残量、または移動端末３００が接続している無線アクセスネットワークの種別）がさらに考慮されてもよい。
【００３５】
図２は、本実施形態に係るUE inactivity timer １０１の満了期間の更新手順の一例を示すシーケンス図である。図２の例では、基地局１００がＲＡＮ１０の混雑度を計測（計算）し、移動管理ノード２００がUE inactivity timer １０１の満了期間を決定する。すなわち、ステップＳ１１では、基地局１００は、基地局１００（又は基地局１００が管理するセル）の混雑度を移動管理ノード２００に通知する。基地局１００の混雑度の通知は、混雑度の計測結果であってもよいし、基地局１００の混雑度がしきい値を超えたことを示す通知であってもよいし、あるいは基地局１００の混雑度がしきい値を超えたことに基づくUE inactivity timer １０１の更新要求であってもよい。
【００３６】
ステップＳ１１での基地局１００の混雑度の通知は、周期的に行われてもよいし、非周期的に行われてもよい。非周期的な通知は、例えば、基地局１００の混雑度がしきい値を超えたことに応じて行われてもよい。あるいは、非周期的な通知は、移動端末３００からのアタッチ要求、サービス要求（ベアラ確立要求）、又は位置更新要求の受信を契機として行われてもよい。また、非周期的な通知は、移動端末３００のＩＤＬＥ遷移、ネットワークからの切断（サービス圏外への移動）、他のセルからの内向きハンドオーバ、又は他のセルへの外向きハンドオーバを契機として行われてもよい。
【００３７】
ステップＳ１２では、移動管理ノード２００は、基地局１００（又は基地局１００が管理するセル）の混雑度に基づいて、基地局１００に接続する移動端末３００に適用されるUE inactivity timer １０１の満了期間（タイマ値）を決定する。UE inactivity timer １０１の満了期間は、基地局１００に接続している全ての移動端末３００に共通に決定されてもよいし、移動端末３００毎に個別に決定されてもよい。
【００３８】
ステップＳ１３では、移動管理ノード２００は、UE inactivity timer １０１の満了期間（タイマ値）を示すタイマ値更新要求を基地局１００に送信する。
【００３９】
ステップＳ１４では、基地局１００は、移動管理ノード２００からの要求に応じて、自身が管理するセルに接続する移動端末３００に適用されるUE inactivity timer １０１の満了期間（タイマ値）を更新する。
【００４０】
なお、ステップＳ１１の混雑度通知は、アタッチ要求、サービス要求、位置更新要求、又はハンドオーバなどの既存の手順において、基地局１００から移動管理ノード２００に通知されてもよい。同様に、ステップＳ１３のタイマ値更新要求は、アタッチ要求、サービス要求、位置更新要求、又はハンドオーバなどの既存の手順において、移動管理ノード２００から基地局１００に通知されてもよい。
【００４１】
図３は、UE inactivity timer １０１の満了期間（タイマ値）を決定するよう動作する移動管理ノード２００の構成例を示すブロック図である。決定部２０１は、UE inactivity timer１０１の満了期間を少なくともＲＡＮ１０の混雑度に基づいて決定する。通知部２０２は、基地局１００と通信し、UE inactivity timer１０１の満了期間を示すメッセージを基地局１００に送信する。
【００４２】
既に述べたように、ＵＭＴＳの場合、図１に示した基地局１００は、ＲＮＣ及びＮｏｄｅＢの機能を含む。図４は、ＵＭＴＳのネットワークの構成例を示している。図４に示すように、UE inactivity timer１０１は、ＲＮＣに配置されてもよい。図４の移動管理ノード２００は、ＳＧＳＮのコントロールプレーン機能に相当する。
【００４３】
＜第２の実施形態＞
本実施形態では、第１の実施形態の変形例について説明する。既に述べたように、UE inactivity timer１０１の満了期間の決定は、移動管理ノード２００等のＭＣＮ２０のネットワークノードではなく、ＲＡＮ１０のネットワークノード（例えば、基地局１００）において行われてもよい。図５は、UE inactivity timer １０１の満了期間（タイマ値）を決定するよう動作する基地局１００の構成例を示すブロック図である。図５に示された基地局１００は、UE inactivity timer １０１及び設定部１０２を含む。設定部１０２は、満了期間をUE inactivity timer１０１に設定する。さらに、図５の設定部１０２は、UE inactivity timer１０１の満了期間を少なくとも基地局１００（又は基地局１００が管理するセル）の混雑度に基づいて決定する。
【００４４】
＜その他の実施形態＞
第１及び第２の実施形態では、主にＥＰＳ及びＵＭＴＳに関する具体例を用いて説明した。しかしながら、第１及び第２の実施形態は、その他のセルラ通信システムに適用されてもよい。
【００４５】
第１及び第２の実施形態で説明したUE inactivity timer １０１の満了期間（タイマ値）の決定に関する動作は、少なくとも１つのプロセッサを含むコンピュータシステムにプログラムを実行させることによって実現されてもよい。具体的には、UE inactivity timer １０１の満了期間の決定に関するアルゴリズムをコンピュータシステムに行わせるための命令群を含む１又は複数のプログラムをコンピュータシステムに供給すればよい。
【００４６】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４７】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００４８】
この出願は、２０１３年４月１０日に出願された日本出願特願２０１３−０８１９２５を基礎とする優先権を主張し、その開示の全てをここに取り込む。
【符号の説明】
【００４９】
１０  無線アクセスネットワーク（ＲＡＮ）
２０  モバイルコアネットワーク（ＭＣＮ）
１００  基地局
１０１  UE inactivity timer
１０２  設定部
２００  移動管理ノード
２０１  決定部
２０２  通知部
３００  移動端末
【図１】
2014167759.tif 000003
【図２】
2014167759.tif 000004
【図３】
2014167759.tif 000005
【図４】
2014167759.tif 000006
【図５】
2014167759.tif 000007
【手続補正書】
【提出日】平成27年8月28日(2015.8.28)
【手続補正１】
【補正対象書類名】特許請求の範囲
【補正対象項目名】請求項２４
【補正方法】変更
【補正の内容】
【請求項２４】
制御方法をコンピュータに行わせるためのプログラムであって、
前記制御方法は、無線アクセスネットワークを介してモバイルコアネットワークに接続する移動端末のＣＯＮＮＥＣＴＥＤ状態からＩＤＬＥ状態への遷移を決定するために用いられるタイマの満了期間を前記無線アクセスネットワークの混雑度に基づいて決定することを含む、
プログラム。
【国際調査報告】
2014167759.tif 000008
2014167759.tif 000009
2014167759.tif 000010